(57)【要約】【目的】つけ爪を装着した状態でも容易にコンタクトレンズの着脱が可能なコンタクトレンズ着脱具を提供すること、更には当該着脱具を衛生的に収納可能な収納容器を提供すること。【構成】上記目的を解決するために本発明に係るコンタクトレンズ着脱具は、指先に装着可能であると共に、側面に開口部を有するゴム製の袋体で形成した。  更に上記コンタクトレンズ着脱具を収納する容器は、水密な蓋を有する箱体の上部に隔壁を設け、更に底部に２個の深さの異なる凹部を設けた。【選択図】        図１
2009145709.tif 000002
【特許請求の範囲】
【請求項１】
指先に装着可能であると共に、側面に開口部２を有するゴム製の袋体たるコンタクトレンズ着脱具。
【請求項２】
水密な蓋９を有する箱体の上部に隔壁１０を設け、更に底部に２個の深さの異なる凹部１１ａ、１１ｂを設けたコンタクトレンズ着脱具収納容器。
【発明の詳細な説明】
【技術分野】
【０００１】
本発明はコンタクトレンズの着脱時に使用する着脱具に関し、より詳しくは着け爪を施した指でも容易に着脱できるコンタクトレンズ着脱具、及び当該着脱具を収納する容器に関する。
【背景技術】
【０００２】
コンタクトレンズは、機能の面で眼鏡よりも優れた点が多い反面、装用に伴う眼への負担が大きいので、手軽さに欠け、制限事項も多い。すなわち、洗浄や消毒を適切に行う、装用時間を守る、使用期限を守る、装用したまま眠らない等の制限事項が存する。かような制限事項を遵守するためには煩雑にコンタクトレンズの着脱を繰り返すことが必要となってくる。
【０００３】
ところがコンタクトレンズは、球状に弯曲して非常に薄く、且つ軟らかいものであり取り扱いが難しい。一般的には使用者が直接手でコンタクトレンズを目に装着したり、目から取り外すようにしている。ところが、かかる操作は非常に面倒でかなりの熟練を要する。
【０００４】
そこで容易にコンタクトレンズを着脱するための装置として、コンタクトレンズを吸引具で吸着し着脱するという技術が提案されている。例えば、特許文献１には、吸排気タンクの吸引力によりノズル先端の平坦面においてコンタクトレンズを吸着せしめ、着脱を行う装置が提案されている。又、特許文献２にはスポイトの先端部を曲げると共に吸盤を設け、当該吸盤でコンタクトレンズを吸着せしめ着脱を行う装置が提案されている。
【特許文献１】特開２０００−２４５７６５号公報
【特許文献２】登録実用新案公報第３０２９１６４号
【発明の開示】
【発明が解決しようとする課題】
【０００５】
上述のように困難なコンタクトレンズの着脱であるが、昨今更に困難なものとする現象が生じている。
【０００６】
すなわちネイルアートの普及に伴い、指の爪につけ爪を装着して、指の爪を装飾するお洒落が昨今流行している。ところがつけ爪を装着した状態でコンタクトレンズを取り付けあるいは取り外すのは困難であり、しかも爪先で眼球を傷つける恐れがある。殊にソフトレンズは指先で摘んで着脱を行うため、つけ爪を装着した状態でのコンタクトレンズの着脱は極めて難しい。次善の策として指を顔と平行方向に持ってきて指の腹でつまむといった方法が採られることもあるが、技術的に容易ではない。
【０００７】
そこで本発明はつけ爪を装着した状態でも容易にコンタクトレンズの着脱が可能なコンタクトレンズ着脱具を提供すること、更には当該着脱具を衛生的に収納可能な収納容器を提供することを目的とする。
【課題を解決するための手段】
【０００８】
上記課題を解決するために本発明に係るコンタクトレンズ着脱具は、指先に装着可能であると共に、側面に開口部を有するゴム製の袋体で形成した。
【０００９】
更に上記コンタクトレンズ着脱具を収納する容器は、水密な蓋を有する箱体の上部に隔壁を設け、更に底部に２個の深さの異なる凹部を設けた。
【発明の効果】
【００１０】
上述のように構成される本発明が如何にして課題を解決する作用を有するかを、図面を参照しながら以下概説する。
【００１１】
図１はコンタクトレンズ着脱具の正面図であり、図２は同右側面図であり、図３は同底面図であり、図４は使用状態を示す説明図である。
【００１２】
図1乃至図３に示すように、本発明に係るコンタクトレンズ着脱具１は指を差し込むための差込口３を下部に有するゴム製の袋体であり、図４に示すように通常は親指４、人差し指５を内側空洞部に差し込んで使用するものである。かように指先がゴム製の袋体で覆われることから、つけ爪６をしていたとしても爪先が直接眼球１３に触れることが無く、つまりは眼球１３を傷つける恐れ無しにコンタクトレンズ１４の着脱が可能となるのである。しかもゴム製であることから指の皮膚と類似した感触でコンタクトレンズを摘むことが可能となるものである。又、側面に開口部２を設けてあることから、着脱具を装着した指の関節の自由度が高まり、非常に薄く、且つ軟らかく、しかも小さいコンタクトレンズであっても、摘む等の動作が容易となるのである。
【００１３】
図５は本発明に係る着脱具収納容器の正面図であり、図６は同右側面図であり、図７は同平面図である。尚、各図においては着脱具１，１を収納した状態を示して作図してある。
【００１４】
図５乃至図７に示すように、本発明に係る収納容器８は上部に隔壁１０を、下部に２個の凹部１１，１１を有することから、通常一対で使用する本発明に係るコンタクトレンズ着脱具１，１を一括収容できるものである。又、水密の蓋９を有する箱体であることから、液体を漏らさずに箱体内部に収納することが可能である。そして収納する液体として例えばコンタクトレンズ洗浄液を収容すれば、着脱具１を衛生的に保管することが可能となるのである。
【発明を実施するための最良の形態】
【００１５】
以下、好ましい発明の一実施形態につき概説する。
【００１６】
本発明に係るコンタクトレンズ着脱具１は、図１乃至図３に示すように指サック状の形態を有する。すなわち下部に指を入れるための差込口３を有する袋体であり、側面には開口部２を設けてある。図中開口部２はハート型に形成してあるが、これはネイル愛好者は若年女性が多いことに鑑みて係る形状に設けてあるだけであり、本来の目的である関節の自由度を増すことに資する形状であれば任意の形状に設けてかまわない。
【００１７】
本発明に係る着脱具１は通常親指と人差し指に嵌めて使用するものであることから、親指と同程度の径、人差し指と同程度の径を有する２種類のものが一組となるものである。
【００１８】
又、素材としてはゴムや軟質合成樹脂を用いることが可能であるが、より好ましくはシリコンゴムを用いることが望まれる。
【００１９】
図５乃至図７に示すように、本発明に係るコンタクトレンズ着脱具収納容器８は箱状の樹脂製容器であり、内部に親指用の着脱具１ａと人差し指用の着脱具１ｂを収納することが可能となっている。つまり底部に設けた凹部１１の形状が、親指用の着脱具１ａを収納するための凹部１１ａはより深く、人差し指用の着脱具１ｂを収納するための凹部１１ｂは浅く形成してある。
【００２０】
又、箱状の本体１２の上部長辺にわたり隔壁１０が設けてある。この隔壁１０は収納した着脱具１ａ、１ｂを支持するために設けられるものである。
【００２１】
本体１２には蓋９がヒンジ９ａを介して開閉自在に取り付けられている。蓋９を本体１２に被せた状態では水密になるよう蓋９は設けられている。
【図面の簡単な説明】
【００２２】
【図１】コンタクトレンズ着脱具の正面図。
【図２】同右側面図。
【図３】同底面図。
【図４】使用状態を示す説明図。
【図５】収納容器の正面図。
【図６】同右側面図。
【図７】同平面図。
【符号の説明】
【００２３】
１・・コンタクトレンズ着脱具
２・・開口部
８・・コンタクトレンズ着脱具収納容器
９・・蓋
１０・・隔壁
１１ａ，１１ｂ・・凹部
【図１】
2009145709.tif 000003
【図２】
2009145709.tif 000004
【図３】
2009145709.tif 000005
【図４】
2009145709.tif 000006
【図５】
2009145709.tif 000007
【図６】
2009145709.tif 000008
【図７】
2009145709.tif 000009